(57)【特許請求の範囲】
【請求項１】
ターゲットに対して液体を噴射して記録を行う液体噴射ヘッドと、
前記液体噴射ヘッドを内部に有する本体ハウジングと、
前記液体が収容された液体収容部から送られる前記液体を前記液体噴射ヘッドへと導き、キャリッジの移動に伴って追従変形する変形可動部を有する液体供給チューブと、
を備え、
前記液体供給チューブは、前記本体ハウジングの外装を構成する側壁部の内側で支持され、
前記本体ハウジングは、前記液体噴射ヘッドにより記録が行われた前記ターゲットが排出される排出口を前記側壁部に形成することを特徴とする液体噴射装置。
【請求項２】
ターゲットに対して液体を噴射して記録を行う液体噴射ヘッドと、
前記液体噴射ヘッドを内部に有する本体ハウジングと、
前記液体が収容された液体収容部から送られる前記液体を前記液体噴射ヘッドへと導き、キャリッジの移動に伴って追従変形する変形可動部を有する液体供給チューブと、
を備え、
前記液体供給チューブは、前記本体ハウジングの外装を構成する側壁部の内側で支持され、
前記側壁部の前記液体供給チューブを支持する部分は、上部及び下部に水平部を有する断面略Ｕ字状に構成されることを特徴とする液体噴射装置。
【請求項３】
ターゲットに対して液体を噴射して記録を行う液体噴射ヘッドと、
前記液体噴射ヘッドを内部に有する本体ハウジングと、
前記液体が収容された液体収容部から送られる前記液体を前記液体噴射ヘッドへと導き、キャリッジの移動に伴って追従変形する変形可動部を有する液体供給チューブと、
を備え、
前記液体供給チューブは、前記本体ハウジングの外装を構成する側壁部の内側で支持され、
前記側壁部の前記液体供給チューブを支持する部分は、下部に水平部を有する断面略Ｌ字状に構成されることを特徴とする液体噴射装置。
【請求項４】
ターゲットに対して液体を噴射して記録を行う液体噴射ヘッドと、
前記液体噴射ヘッドを内部に有する本体ハウジングと、
前記液体が収容された液体収容部から送られる前記液体を前記液体噴射ヘッドへと導き、キャリッジの移動に伴って追従変形する変形可動部を有する液体供給チューブと、
を備え、
前記液体供給チューブは、前記本体ハウジングの外装を構成する側壁部の内側で支持され、
前記側壁部の前記液体供給チューブを支持する部分は、上部に水平部を有する断面略逆Ｌ字状に構成されることを特徴とする液体噴射装置。
【請求項５】
請求項１から請求項４のうち何れか一項に記載の液体噴射装置において、
前記本体ハウジングには、前記ターゲットの搬送領域を内部に有すると共に、その搬送領域を露呈させる開口部を開閉する方向に変位可能なカバーが設けられ、
前記液体供給チューブは、前記カバーを開いた状態で、前記本体ハウジングの外装を構成する側壁部の内側によって支持されることを特徴とする液体噴射装置。
【請求項６】
請求項１から請求項４のうち何れか一項に記載の液体噴射装置において、
前記側壁部は、前記水平部が上方から見た平面視において前記液体供給チューブに対して重なるように配置されて該液体供給チューブを収容することを特徴とする液体噴射装置。
【請求項７】
請求項６に記載の液体噴射装置において、
前記側壁部は、複数の前記液体供給チューブが前記本体ハウジング内に挿入される場合に、これらの液体供給チューブを上下方向に並列させた状態で収容しつつ支持することを特徴とする液体噴射装置。
【請求項８】
請求項１から請求項７のうち何れか一項に記載の液体噴射装置において、
前記側壁部に設けられ、前記液体供給チューブの一部に当接することにより該液体供給チューブがその長さ方向と交差する方向に移動することを規制する規制部材を更に備えたことを特徴とする液体噴射装置。
【請求項９】
請求項１から請求項８のうち何れか一項に記載の液体噴射装置において、
前記側壁部には、前記液体供給チューブを挿通させる挿通部が前記本体ハウジングの内外を連通するように設けられることを特徴とする液体噴射装置。
【発明の詳細な説明】
【技術分野】
【０００１】
本発明は、ターゲットに対して液体を噴射する液体噴射装置に関する。
【背景技術】
【０００２】
従来から、液体噴射装置の一種として、液体噴射ヘッドから用紙等の媒体に対してインクを噴射することにより印刷を行うインクジェット式のプリンターが知られている。このようなプリンターにおいては、比較的大量の印刷を行う場合に液体噴射ヘッドへ連続的に安定してインクを供給するために、インクの収容容量が比較的大きなインクタンクからインク供給チューブを通じてインクカートリッジにインクを供給する構成が提案されている（例えば、特許文献１参照）。
【０００３】
この特許文献１に記載のプリンターでは、本体ハウジングの内側を走査方向に移動可能なキャリッジに液体噴射ヘッドが搭載されている。そして、このプリンターでは、本体ハウジングの外側に設けられたインクタンクから延びるインク供給チューブが、本体ハウジングの上側の開口部を通じてキャリッジの移動領域に挿入され、キャリッジに搭載されたインクカートリッジに接続される。この場合、インク供給チューブは、本体ハウジングの上側の開口部を横切るように設けられた支持部材によって長さ方向の途中部分が支持されることにより、インク供給チューブにおいてキャリッジの移動領域に挿入される端部がインクカートリッジに導かれる。
【先行技術文献】
【特許文献】
【０００４】
【特許文献１】中国実用新案登録公告ＣＮ２８２５２８９Ｙ号公報
【発明の概要】
【発明が解決しようとする課題】
【０００５】
ところで、上記のプリンターでは、インク供給チューブを支持するための専用の部材として支持部材が設けられているため、部品点数の増大に伴って装置の組み付け性が悪化してしまうという問題があった。
【０００６】
本発明は、このような事情に鑑みてなされたものであり、その目的は、装置の組み付け性の向上を図ることができる液体噴射装置を提供することにある。
【課題を解決するための手段】
【０００７】
上記目的を達成するために、本発明の液体噴射装置は、ターゲットに対して液体を噴射して記録を行う液体噴射ヘッドと、前記液体噴射ヘッドを内部に有する本体ハウジングと、前記液体が収容された液体収容部から送られる前記液体を前記液体噴射ヘッドへと導き、キャリッジの移動に伴って追従変形する変形可動部を有する液体供給チューブと、を備え、前記液体供給チューブは、前記本体ハウジングの外装を構成する側壁部の内側によって支持される。
【０００８】
上記構成によれば、本体ハウジングの外装を構成する側壁部が液体供給チューブを支持する支持部材としても機能するため、液体供給チューブを支持するための専用の部材を設けることが不要となり、部品点数の削減に伴って装置の組み付け性の向上を図ることができる。
【０００９】
また、本発明の液体噴射装置において、前記本体ハウジングには、前記ターゲットの搬送領域を内部に有すると共に、その搬送領域上部を露呈させる開口部を開閉する方向に変位可能なカバーが設けられ、前記液体供給チューブは、前記カバーを開いた状態で、前記本体ハウジングの外装を構成する側壁部の内側によって支持される。
【００１０】
上記構成によれば、カバーが本体ハウジングの開口部を開放した状態で、液体供給チューブを本体ハウジングの側壁部の内側によって支持することができる。
また、本発明の液体噴射装置において、前記本体ハウジングは、前記液体噴射ヘッドにより記録が行われた前記ターゲットが排出される排出口を備え、前記側壁部は、前記排出口が形成された側壁である。
【００１１】
上記構成によれば、ターゲットの排出口が形成された側壁部によって液体供給チューブを支持することができる。
また、本発明の液体噴射装置において、前記側壁部は、上部及び下部に水平部を有する断面略Ｕ字状に構成される。
【００１２】
上記構成によれば、側壁部の上部及び下部に水平部を設けることにより、側壁部の強度を高めることができる。
また、本発明の液体噴射装置において、前記側壁部は、下部に水平部を有する断面略Ｌ字状に構成される。
【００１３】
上記構成によれば、側壁部の下部に設けられた水平部によって、液体供給チューブを下方から安定して支持することができる。
また、本発明の液体噴射装置において、前記側壁部は、上部に水平部を有する断面略逆Ｌ字状に構成される。
【００１４】
上記構成によれば、側壁部の上部に設けられた水平部によって、本体ハウジングの開口部を開閉する開閉部材を下方から安定して受けることができる。
また、本発明の液体噴射装置において、前記側壁部は、前記水平部が上方から見た平面視において前記液体供給チューブに対して重なるように配置されて該液体供給チューブを収容する。
【００１５】
上記構成によれば、上方から見た平面視において本体ハウジングの側壁部が液体供給チューブに対して重なるように構成されることにより、本体ハウジングの側壁部の設置スペースが液体供給チューブの収容スペースとして用いられるため、装置全体の省スペース化を図ることができる。
【００１６】
また、本発明の液体噴射装置において、前記側壁部は、複数の前記液体供給チューブが前記本体ハウジング内に挿入される場合に、これらの液体供給チューブを上下方向に並列させた状態で収容しつつ支持する。
【００１７】
上記構成によれば、複数の液体供給チューブが上下方向に並列した状態で本体ハウジングの側壁部に収容されるため、装置全体の更なる省スペース化を図ることができる。
また、本発明の液体噴射装置は、前記側壁部に設けられ、前記液体供給チューブの一部に当接することにより該液体供給チューブがその長さ方向と交差する方向に移動することを規制する規制部材を更に備えた。
【００１８】
上記構成によれば、液体供給チューブがその長さ方向と交差する方向に移動することが規制されることにより、液体供給チューブが本体ハウジングの内部に設けられた他の部材に対して干渉することを抑制できる。
【００１９】
また、本発明の液体噴射装置において、前記側壁部には、前記液体供給チューブを挿通させる挿通部が前記本体ハウジングの内外を連通するように設けられる。
上記構成によれば、本体ハウジングの外部から挿通部を通じて本体ハウジングの内部に液体供給チューブを簡易に引き回すことができる。
【図面の簡単な説明】
【００２０】
【図１】本発明に係る実施形態のプリンターを前方斜め上方から見た斜視図。
【図２】同実施形態のプリンターを後方斜め上方から見た斜視図。
【図３】本発明に係る別の実施形態のプリンターを前方斜め上方から見た斜視図。
【発明を実施するための形態】
【００２１】
以下、本発明をインクジェット式のプリンターに具体化した一実施形態について図面に従って説明する。
図１に示すように、プリンター１０は、上面に開口した開口部１１ａを有する略矩形箱状の本体ハウジング１１を備えている。本体ハウジング１１の上面における背面寄りの面部位には、給紙部１３が設けられている。そして、給紙部１３に積重されたターゲットとしての用紙Ｐは、図示しない給紙ローラーの駆動に基づき、１枚ずつ本体ハウジング１１内に給送される。そして、本体ハウジング１１内に供給された用紙Ｐは、本体ハウジング１１の内部に設けられた矩形板状の支持台１４上に搬送される。
【００２２】
また、本体ハウジング１１内における支持台１４の上方には、支持台１４の長手方向に沿って延びるガイドレール１５が設けられている。ガイドレール１５には、その長手方向に往復移動可能にキャリッジ１６が支持されている。そして、キャリッジ１６は、本体ハウジング１１内に設けられた図示しないキャリッジモーターの駆動に基づき、ガイドレール１５にガイドされながら走査方向に往復移動する。すなわち、本体ハウジング１１内における支持台１４の上方の空間域は、用紙Ｐの搬送領域Ｓとなっており、この搬送領域Ｓ上部が本体ハウジング１１の開口部１１ａによって本体ハウジング１１の外側に露呈されている。なお、本体ハウジング１１内におけるキャリッジ１６の走査方向の一端側の領域（図１では支持台１４よりも右側の領域）は、非印刷時にキャリッジ１６が待機するホームポジションＨＰとなっている。
【００２３】
キャリッジ１６は、キャリッジ１６の下面に一体に組み込まれた液体噴射ヘッドと、キャリッジ１６に着脱自在に収納された複数（本実施形態では４つ）の中継アダプター１７とを備えて構成されている。中継アダプター１７は、本体ハウジング１１の外部に設けられた液体収容部としてのインクタンク１８と液体噴射ヘッドとを中継するアダプターであり、液体噴射ヘッドから噴射される液体としての各色のインク（本実施形態では、シアンインク、マゼンダインク、イエローインク、黒インク）を収容可能となっている。なお、液体噴射ヘッドの下面には、図示しない複数のノズルが開口している。そして、液体噴射ヘッドに備えられた図示しない圧電素子の駆動に伴って、中継アダプター１７内のインクが液体噴射ヘッドへ供給され、供給されたインクが液体噴射ヘッドのノズルから支持台１４上に給送された用紙Ｐに向けて噴射されることにより記録が行われる。その後、液体噴射ヘッドによる記録が行われた用紙Ｐは、本体ハウジング１１の側壁部のうち、前側の壁部１１Ｂに形成された排出口１１ｃを通じて本体ハウジング１１の外側に排紙される。
【００２４】
また、液体噴射ヘッドから噴射される各色のインクを収容するインクタンク１８は、キャリッジ１６の走査方向におけるホームポジションＨＰとは反対寄りの位置に設けられている。そして、インクタンク１８に収容されたインクの流路として機能する液体供給チューブとしてのインク供給チューブ１９の一端側がインクタンク１８に接続されている。インク供給チューブ１９は、各色のインクタンク１８に個別に対応して複数（本実施形態では４つ）設けられており、これらのインク供給チューブ１９は平板状に束ねられている。また、本体ハウジング１１の長手方向の両側の側壁部のうち、キャリッジ１６のホームポジションＨＰとは反対寄りの壁部１１Ａには、本体ハウジング１１の内外を連通する挿通部としての貫通孔２０が形成されている。そして、インク供給チューブ１９の他端側は、本体ハウジング１１の壁部１１Ａに形成された貫通孔２０を通じて本体ハウジング１１内に挿入され、キャリッジ１６に搭載された中継アダプター１７に接続されている。
【００２５】
なお、図２に示すように、本体ハウジング１１の短手方向の一方側の側壁部となる前側の壁部１１Ｂにおいて、キャリッジ１６の移動領域に対してキャリッジ１６の走査方向と直交する水平方向に対向する部位の上端及び下端には、キャリッジ１６の移動領域側に向けて延出した水平部１１ｂが形成されている。そのため、本体ハウジング１１の壁部１１Ｂは、断面略Ｕ字状をなすように構成されている。そして、本体ハウジング１１内に挿入された各インク供給チューブ１９の長手方向の途中部分は、本体ハウジング１１の壁部１１Ｂの内面に対して粘着テープ２１によって接着されることで本体ハウジング１１の壁部１１Ｂの内側に支持されている。この場合、粘着テープ２１は、各インク供給チューブ１９の外面に当接することにより、各インク供給チューブ１９がその長さ方向と交差する方向に移動することを規制する規制部材として機能する。その結果、インク供給チューブ１９の長さ方向における粘着テープ２１と中継アダプター１７との間の部分が、キャリッジ１６の移動に伴って追随変形する変形可動部１９ａとして粘着テープ２１によって規定される。
【００２６】
また、各インク供給チューブ１９は、上下方向に並列した状態で本体ハウジング１１の壁部１１Ｂの内面に引き回されている。そのため、これらのインク供給チューブ１９は、上方から見た平面視において本体ハウジング１１の壁部１１Ｂに対して重なるように配置されることにより、本体ハウジング１１の壁部１１Ｂに収容されている。
【００２７】
次に、上記のように構成されたプリンター１０の作用について説明する。
さて、本実施形態のプリンター１０では、インク供給チューブ１９の長さ方向の途中部分が本体ハウジング１１の壁部１１Ｂの内面によって支持されることで、インク供給チューブ１９において本体ハウジング１１内に挿入される端部が中継アダプター１７に導かれる。そのため、インク供給チューブ１９を支持するための専用の部材を設けることなく、本体ハウジング１１内に設けられた中継アダプター１７に対してインク供給チューブ１９を安定して引き回すことが可能となる。
【００２８】
上記実施形態によれば、以下に示す効果を得ることができる。
（１）本体ハウジング１１の外装を構成する壁部１１Ｂがインク供給チューブ１９を支持する支持部材としても機能するため、インク供給チューブ１９を支持するための専用の部材を設けることが不要となり、部品点数の削減に伴って装置の組み付け性の向上を図ることができる。
【００２９】
（２）用紙Ｐの排出口１１ｃが形成された壁部１１Ｂによってインク供給チューブ１９を支持することができる。
（３）壁部１１Ｂの上端及び下端に水平部１１ｂを設けることにより、壁部１１Ｂの強度を高めることができる。
【００３０】
（４）上方から見た平面視において本体ハウジング１１の壁部１１Ｂがインク供給チューブ１９に対して重なるように構成されることにより、本体ハウジング１１の壁部１１Ｂの設置スペースがインク供給チューブ１９の収容スペースとして用いられるため、装置全体の省スペース化を図ることができる。
【００３１】
（５）複数のインク供給チューブ１９が上下方向に並列した状態で本体ハウジング１１の壁部１１Ｂに収容されるため、装置全体の更なる省スペース化を図ることができる。
（６）インク供給チューブ１９がその長さ方向と交差する方向に移動することが粘着テープ２１によって規制されることにより、インク供給チューブ１９が本体ハウジング１１の内部に設けられた他の部材（例えば、キャリッジ１６）に対して干渉することを抑制できる。
【００３２】
（７）本体ハウジング１１の外部から貫通孔２０を通じて本体ハウジング１１の内部にインク供給チューブ１９を簡易に引き回すことができる。
なお、上記実施形態は、以下のような別の実施形態に変更してもよい。
【００３３】
・上記実施形態において、本体ハウジング１１の壁部１１Ｂに貫通孔２０を設けてもよい。
・上記実施形態において、本体ハウジング１１の壁部１１Ｂの内面に対してインク供給チューブ１９の外面を接着剤によって接着することにより、インク供給チューブ１９がその長さ方向と交差する方向に移動することを規制してもよい。また、本体ハウジング１１の壁部１１Ｂの内面に対してインク供給チューブ１９をクリップ等を用いて挟持して固定してもよい。
【００３４】
・上記実施形態において、各インク供給チューブ１９を水平方向に並列させた状態で本体ハウジング１１の壁部１１Ｂの内面に引き回してもよい。
・上記実施形態において、本体ハウジング１１の壁部１１Ｂは、キャリッジ１６の移動領域に対してキャリッジ１６の走査方向と直交する水平方向に対向する部位の下端に、キャリッジ１６の移動領域側に向けて延出した水平部１１ｂが形成された断面略Ｌ字状をなすように構成としてもよい。
【００３５】
この構成では、壁部１１Ｂの下端に設けられた水平部１１ｂによって、インク供給チューブ１９を下方から安定して支持することができる。
・上記実施形態において、本体ハウジング１１の壁部１１Ｂは、キャリッジ１６の移動領域に対してキャリッジ１６の走査方向と直交する水平方向に対向する部位の上端に、キャリッジ１６の移動領域側に向けて延出した水平部１１ｂが形成された断面略逆Ｌ字状をなすように構成としてもよい。
【００３６】
この構成では、開口部１１ａを開閉する方向に変位可能なカバーを本体ハウジング１１に回動自在に取り付けた場合に、壁部１１Ｂの上端に設けられた水平部１１ｂによって、このカバーを下方から安定して受けることができる。
【００３７】
・上記実施形態において、本体ハウジング１１の壁部１１Ｂを平板状に構成し、この壁部１１Ｂによってインク供給チューブ１９の長さ方向の途中部分を収容することとなくインク供給チューブ１９を支持する構成としてもよい。
【００３８】
・上記実施形態において、インク供給チューブ１９は、必ずしも本体ハウジング１１の壁部１１Ｂに支持される必要はなく、本体ハウジング１１の側壁部における他の壁面部位に支持される構成としてもよい。
【００３９】
・上記実施形態において、図３に示すように、開口部１１ａを開閉する方向に変位可能なカバー３０を本体ハウジング１１に回動自在に取り付けた状態で、本体ハウジング１１の内部にインク供給チューブ１９を引き回す構成としてもよい。
【００４０】
・上記実施形態において、キャリッジ１６に中継アダプター１７を搭載しない構成としてもよい。すなわち、本体ハウジング１１の外部に設けられたインクタンク１８からインク供給チューブ１９を通じて供給されるインクを、中継アダプター１７を介さずに液体噴射ヘッドへと供給するようにしてもよい。
【００４１】
・上記実施形態において、ターゲットの材質は紙に限定されず、布や樹脂フィルム、樹脂シート、金属シートなどを採用してもよい。
・上記実施形態において、液体噴射ヘッドを固定したままでも用紙最大幅範囲の印字が可能なラインヘッド式のプリンターであってもよい。
【００４２】
・上記実施形態において、液体噴射装置をインクジェット式のプリンター１０に具体化したが、インク以外の他の液体を噴射したり吐出したりする液体噴射装置に具体化してもよい。微小量の液滴を吐出させる液体噴射ヘッド等を備える各種の液体噴射装置に流用可能である。なお、液滴とは、上記液体噴射装置から吐出される液体の状態をいい、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。液体噴射装置の具体例としては、例えば液晶ディスプレイ、ＥＬ（エレクトロルミネッセンス）ディスプレイ、面発光ディスプレイ、カラーフィルターの製造などに用いられる電極材や色材などの材料を分散又は溶解のかたちで含む液体を噴射する液体噴射装置、バイオチップ製造に用いられる生体有機物を噴射する液体噴射装置、精密ピペットとして用いられ試料となる液体を噴射する液体噴射装置、捺染装置やマイクロディスペンサー等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。そして、これらのうちいずれか一種の液体噴射装置に本発明を適用することができる。
【符号の説明】
【００４３】
１０…液体噴射装置としてのプリンター、１１…本体ハウジング、１１Ａ…側壁部を構成する壁部、１１Ｂ…側壁部を構成する壁部、１１ｂ…水平部、１１ｃ…排出口、１６…キャリッジ、１８…液体収容部としてのインクタンク、１９…液体供給チューブとしてのインク供給チューブ、１９ａ…変形可動部、２０…挿通部としての貫通孔、２１…規制部材としての粘着テープ、３０…カバー、Ｐ…ターゲットとしての用紙、Ｓ…搬送領域。
【図１】
0005974356.tif 000002
【図２】
0005974356.tif 000003
【図３】
0005974356.tif 000004